(57)【特許請求の範囲】
【請求項１】
ディスクを搭載するトレイがトレイ駆動手段によって駆動され、本体キャビネットに対してスライドして開閉するディスク装置において、
上記本体キャビネットの正面には、上記トレイの下側に、上記トレイ駆動手段を駆動して上記トレイを少なくとも開かせるためのイジェクトボタンが設けられており、
上記トレイのスライド方向が軸方向となり、この軸方向に移動可能に上記トレイに取り付けられたシャフトと、
上記シャフトの先端に取り付けられ、上記トレイの前面より突出するキャップと、
上記トレイが開いた状態で、上記シャフトが上記トレイの前面より上記キャップを介して押されることにより動作するとともに、この動作により上記トレイ駆動手段を駆動し、
上記トレイを閉じるための上記本体キャビネットに設けたスイッチとを備え、
上記スイッチの動作に応じた上記トレイ駆動手段の駆動によって上記トレイが上記本体キャビネットに格納されたときに、上記トレイの前面より押された上記シャフトは、その後端部が上記本体キャビネットの奥内面に当接することにより、元の位置に押し戻されることを特徴とするディスク装置。
【請求項２】
ディスクを搭載するトレイがトレイ駆動手段によって駆動され、本体キャビネットに対してスライドして開閉するディスク装置において、
上記本体キャビネットの正面には、上記トレイの下側に、上記トレイ駆動手段を駆動して上記トレイを少なくとも開かせるためのイジェクトボタンが設けられており、
上記トレイが開いた状態で、上記トレイの前面より操作され、上記トレイ駆動手段を駆動して上記トレイを閉じるためのトレイ閉手段を備え、
上記トレイ閉手段は、
上記トレイのスライド方向が軸方向となり、この軸方向に移動可能に上記トレイに取り付けられたシャフトと、
上記トレイが開いた状態で、上記シャフトが上記トレイの前面より押されることにより動作するとともに、この動作により上記トレイ駆動手段を駆動し、上記トレイを閉じるための上記本体キャビネットに設けたスイッチとを備えて成り、
上記スイッチの動作に応じた上記トレイ駆動手段の駆動によって上記トレイが上記本体キャビネットに格納されたときに、上記トレイの前面より押された上記シャフトは、その後端部が上記本体キャビネットの奥内面に当接することにより、元の位置に押し戻されることを特徴とするディスク装置。
【発明の詳細な説明】
【０００１】
【発明の属する技術分野】
本発明は、ＤＶＤやＣＤ等のディスクを用いてデータの記録／再生を行うディスク装置に関し、特にディスクを搭載するトレイが本体キャビネットに対してスライドして開閉するディスク装置に関する。
【０００２】
【従来の技術】
従来、ＤＶＤやＣＤ等のディスクを用いてデータの記録／再生を行うディスク装置では、例えば図６に示すようなディスクを搭載するトレイが本体キャビネットに対してスライドして開閉するディスク装置３１が知られている。
このディスク装置３１は、本体キャビネット３２の正面から水平方向に引き出し可能なトレイ３３を備えている。このトレイ３３には、上面にディスクを搭載するためのディスク搭載部３４が形成されている。また、本体キャビネット３２の正面には、トレイ３３の下側にイジェクトボタン３５が設けられている。
【０００３】
トレイ３３の引き出しおよび格納は、イジェクトボタン３５を操作して行うことができ、具体的にはトレイ３３を格納した状態からイジェクトボタン３５を押すと、図示しない所定のトレイ用モータが回転駆動され、この駆動力を利用したギア機構によりトレイ３３が引き出される。一方、トレイ３３を引き出した状態からイジェクトボタン３５を押すと、トレイ用モータが逆方向に回転駆動されてトレイ３３が本体キャビネット３２に格納される。
また、トレイ３３の格納については、引き出されたトレイ３３を本体キャビネット３２側に直接押すことによっても、上記同様にトレイ用モータが逆方向に回転駆動されてトレイ３３が本体キャビネット３２に格納される。
【０００４】
【発明が解決しようとする課題】
しかしながら、上記のようなディスク装置３１では、イジェクトボタン３５が本体キャビネット３２の正面のトレイ３３の下側に設けられている。このため、引き出されているトレイ３３を本体キャビネット３２へ格納するために、イジェクトボタン３５を押す場合、イジェクトボタン３５が引き出されたトレイ３３によって覆い隠されるような状態になっているので、このトレイ３３が邪魔になってイジェクトボタン３５を押すのは大変である。
【０００５】
一方、引き出されたトレイ３３を本体キャビネット３２側に押して格納する場合、直接トレイ３３を押すのでこのトレイ３３にギア機構を介して接続されたトレイ用モータにトルクがかかることになる。このため、トレイ用モータやギア機構に負担となっていた。
【０００６】
ところで、例えば特開平１１‐３０６６３１号公報には、トレイの移動が何らかの障害により妨げられたときにトレイ用モータに過大な力が加わることを防止するようにした記録媒体装着装置が開示されている。この記録媒体装着装置では、トレイ用モータにより駆動されるプーリとベアリングの間にワイヤが懸架され、このワイヤの両端をトレイに固定する際にスプリングを介在させている。これによって、何らかの障害によりトレイの移動が妨げられたとき、まずスプリングが伸び、ワイヤに加わる張力の急激な増加を緩和して、プーリがワイヤとの間で空回りすることで、トレイ用モータに過大な力が加わることを防止するようにしている。
【０００７】
しかしながら、上記のような記録媒体装着装置では、トレイの移動が何らかの障害により妨げられた場合を想定しており、トレイを直接押して本体キャビネットに格納する場合に、トレイ用モータにトルクがかかることを防止することはできない。
そこで、本発明は、上記の問題に鑑みてなされたものであり、トレイを本体キャビネットに格納する場合に、トレイ用モータ等に負担がかかることなく、簡単な操作でトレイを格納することができるディスク装置を提供することを目的とするものである。
【０００８】
【課題を解決するための手段】
上記目的を達成するため、本発明に係るディスク装置は、ディスクを搭載するトレイがトレイ駆動手段によって駆動され、本体キャビネットに対してスライドして開閉するディスク装置において、上記本体キャビネットの正面には、上記トレイの下側に、上記トレイ駆動手段を駆動して上記トレイを少なくとも開かせるためのイジェクトボタンが設けられており、上記トレイのスライド方向が軸方向となり、この軸方向に移動可能に上記トレイに取り付けられたシャフトと、上記シャフトの先端に取り付けられ、上記トレイの前面より突出するキャップと、上記トレイが開いた状態で、上記シャフトが上記トレイの前面より上記キャップを介して押されることにより動作するとともに、この動作により上記トレイ駆動手段を駆動し、上記トレイを閉じるための上記本体キャビネットに設けたスイッチとを備え、上記スイッチの動作に応じた上記トレイ駆動手段の駆動によって上記トレイが上記本体キャビネットに格納されたときに、上記トレイの前面より押された上記シャフトは、その後端部が上記本体キャビネットの奥内面に当接することにより、元の位置に押し戻されるようになっている。
【０００９】
このような構成によれば、開いたトレイを閉じる際に、トレイの前面よりキャップを押して、シャフトを軸方向後側に移動させることによって、トレイを閉じるためのスイッチを動作させることができる。これによって、引き出されたトレイに邪魔されながら本体キャビネットの前面より操作を行わなくても、トレイの前面よりの操作でトレイを本体キャビネットに格納することができる。また、キャップが押された後に、トレイが本体キャビネットに格納されると、シャフトおよびキャップを元の位置に復帰させることができる。
【００１０】
また、ディスクを搭載するトレイがトレイ駆動手段によって駆動され、本体キャビネットに対してスライドして開閉するディスク装置において、上記本体キャビネットの正面には、上記トレイの下側に、上記トレイ駆動手段を駆動して上記トレイを少なくとも開かせるためのイジェクトボタンが設けられており、上記トレイが開いた状態で、上記トレイの前面より操作され、上記トレイ駆動手段を駆動して上記トレイを閉じるためのトレイ閉手段を備えている。ここで、上記トレイ閉手段は、上記トレイのスライド方向が軸方向となり、この軸方向に移動可能に上記トレイに取り付けられたシャフトと、上記トレイが開いた状態で、上記シャフトが上記トレイの前面より押されることにより動作するとともに、この動作により上記トレイ駆動手段を駆動し、上記トレイを閉じるための上記本体キャビネットに設けたスイッチとを備えて成り、上記スイッチの動作に応じた上記トレイ駆動手段の駆動によって上記トレイが上記本体キャビネットに格納されたときに、上記トレイの前面より押された上記シャフトは、その後端部が上記本体キャビネットの奥内面に当接することにより、元の位置に押し戻されるようになっている。
【００１１】
このような構成によれば、開いたトレイを閉じる際に、トレイの前面よりシャフトを押して、軸方向後側に移動させることによって、トレイを閉じるためのスイッチを動作させることができる。これによって、引き出されたトレイに邪魔されながら本体キャビネットの前面より操作を行わなくても、トレイの前面よりの操作でトレイを本体キャビネットに格納することができる。また、シャフトが押された後に、トレイが本体キャビネットに格納されると、シャフトを元の位置に復帰させることができる。
【００１３】
【発明の実施の形態】
（実施の形態１）
図１は本発明に係るディスク装置の一実施の形態の概略構成を示す斜視図であり、図２は上記ディスク装置のトレイのシャフト部分の断面図であり、図３は上記ディスク装置のトレイを示す正面図であり、図４は上記ディスク装置のシャフト取り付け状態を示す断面図である。以下、このディスク装置について図面に基づいて説明する。
【００１４】
本実施形態では、図１に示すようにディスク装置１は、本体キャビネット２の正面に矩形状の開口部３が形成されており、開口部３にトレイ１０が装着されている。このトレイ１０は、開口部３の両内側面に設けられたガイドレール（図示しない）により、スライド移動可能に保持されており、本体キャビネット２に対して引き出し（開らく）および格納（閉じる）が可能である。また、本体キャビネット２の正面の開口部３下側には、トレイ１０を開閉させるためのイジェクトボタン４が設けられている。
【００１５】
トレイ１０の上面には、ディスクを搭載するためのディスク搭載部１０ａが形成されている。トレイ１０の両側の側縁部には、ガイドレールにより案内される案内部１０ｂが、両側水平方向に突起するように形成されている。トレイ１０の片側の側縁部の内側には、図２、図３に示すようにシャフト１１を支持する複数の支持片１０ｃが設けられている。シャフト１１は、支持片１０ｃに設けられた孔１０ｄに挿入された状態で、軸方向に移動可能に支持されている。
【００１６】
また、トレイ１０の前面パネル１０ｅには孔１０ｆが設けられており、この孔１０ｆにキャップ１２が前面パネル１０ｅの内側より係合されている。このキャップ１２は、孔１０ｆより大径の縁部と小径の中央部とを有しており、縁部側の底面には凹部が形成されている。すなわち、キャップ１２は、孔１０ｆに前面パネル１０ｅの内側より中央部が嵌合され、縁部により前面パネル１０ｅの裏面に係止される。キャップ１２の凹部には、シャフト１１の先端部が固着されている。シャフト１１には、トレイ１０の前面パネル１０ｅ側の支持片１０ｃとキャップ１２との間で係止されるスプリング１３が外嵌されている。このスプリング１３によってキャップ１２が軸方向前面パネル１０ｅ側（図２(a) に示すＡ方向）に付勢されることで、シャフト１１も同様に付勢されている。
【００１７】
トレイ１０が引き出された状態でシャフト１１の後端部が位置する本体キャビネット２の底面には、図１、図４に示すようにリーフスイッチ５が設けられている。このリーフスイッチ５は、上部にリーフ形状のボタン部５ａが設けられており、トレイ１０の前面よりキャップ１２が押されてシャフト１１が軸方向後側（図２(a) に示すＢ方向）に移動し、図２(b) に示す状態でシャフト１１の後端部によりボタン部５ａが下側に押されて動作するようになっている。また、リーフスイッチ５は、トレイ１０が完全に引き出された時だけボタン部５ａが押されていない状態であり、その他のトレイ１０の格納時、トレイ１０の引き出しおよび格納途中では、ボタン部５ａが押された状態である。
【００１８】
また、本体キャビネット２の底面には、図１に示すようにトレイ駆動手段を構成するトレイ用モータ６が、その回転軸が垂直上方に向くように設置されるとともに、その回転軸にはピニオン７が連結されている。トレイ用モータ６は、図示しない制御部によって回転や停止等の制御が行われる。一方、トレイ１０の片側の側縁部にはラック（図示しない）が形成され、このラックとピニオン７とが噛み合ってトレイ用モータ６の回転によりトレイ１０の引き出しおよび格納が行われる。
【００１９】
トレイ１０の引き出しは、本体キャビネット２の正面に設けられたイジェクトボタン４を操作して行うことができ、具体的にはトレイ１０を格納した状態からイジェクトボタン４を押すと、制御部によってトレイ用モータ６が回転駆動されてトレイ１０が引き出される。一方、トレイ１０の格納は、トレイ１０の前面パネル１０ｅに設けられたキャップ１２を操作して行うことができる。具体的には、トレイ１０を引き出した状態からキャップ１２を押すと、キャップ１２およびシャフト１１がスプリング１３に抗して図２(a) に示すＢ方向に移動し、図２(b) に示す状態でシャフト１１の後端部によりリーフスイッチ５のボタン部５ａが下側に押される。これにより、リーフスイッチ５が動作し、制御部によってトレイ用モータ６が逆方向に回転駆動されてトレイ１０が本体キャビネット２に格納される。なお、トレイ１０の格納は、イジェクトボタン４を操作して行うことも可能である。
【００２０】
このようにトレイ１０が引き出された状態で、トレイ１０の前面よりキャップ１２を押して、シャフト１１を軸方向後側に移動させることによって、トレイ１０を閉じるためのリーフスイッチ５を動作させることができる。これによって、引き出されたトレイ１０を格納する際に、引き出されたトレイに邪魔されながら本体キャビネット２の正面に設けられたイジェクトボタン４を押さなくても、トレイ１０の前面よりキャップ１２を押すだけでトレイ１０を本体キャビネットに格納することができる。また、シャフト１１を付勢するためのスプリング１３を備えたことにより、キャップ１２が押された後に、シャフト１１およびキャップ１２を元の位置に復帰させることができる。また、引き出されたトレイ１０を直接押すことがないのでトレイ用モータ６にトルクがかからず、負担となることもない。
【００２１】
なお、本実施の形態では、シャフト１１の後端部で押されて動作するリーフスイッチ５を設けているが、これに限られるものではない。例えば、リーフスイッチ５に替えてフォトスイッチを設け、シャフト１１が軸方向後側に移動することによりフォトスイッチがシャフト１１の後端部を検出して動作するように構成しても構わない。
【００２２】
また、本実施の形態では、シャフト１１をトレイ１０の内側に設けた複数の支持片１０ｃによって支持しているが、これに限られるものではない。例えば、トレイ１０の側縁部を肉厚に形成し、この側縁部に貫通させるようにシャフト１１を支持しても構わない。
【００２３】
さらに、本実施の形態では、シャフト１１を付勢するためのスプリング１３を備え、キャップ１２が押された後に、シャフト１１およびキャップ１２を元の位置に復帰させるように構成しているが、これに限られるものではない。例えば、スプリング１３を備えず、トレイ１０が格納された時にシャフト１１の後端部を本体キャビネット２の奥内面に当接させて、シャフト１１を復帰させるように構成してもよい。
【００２４】
（実施の形態２）
図５は本発明に係るディスク装置の他の実施の形態の概略構成を示す斜視図であり、以下、このディスク装置について図面に基づいて説明する。なお、実施の形態１と同じ部分については同じ符号を用いる。
本実施形態でも、実施の形態１と同様に図５に示すようにディスク装置１は、本体キャビネット２の正面に矩形状の開口部３が形成されており、開口部３にトレイ１０が装着されている。このトレイ１０は、開口部３の両内側面に設けられたガイドレール（図示しない）により、スライド移動可能に保持されており、本体キャビネット２に対して引き出し（開らく）および格納（閉じる）が可能である。
【００２５】
本体キャビネット２の底面には、トレイ駆動手段を構成するトレイ用モータ６が、その回転軸が垂直上方に向くように設置されるとともに、その回転軸にはピニオン７が連結されている。トレイ用モータ６は、図示しない制御部によって回転や停止等の制御が行われる。一方、トレイ１０の片側の側縁部にはラック（図示しない）が形成され、このラックとピニオン７とが噛み合ってトレイ用モータ６の回転によりトレイ１０の引き出しおよび格納が行われる。
【００２６】
トレイ１０の上面には、ディスクを搭載するためのディスク搭載部１０ａが形成されている。トレイ１０の両側の側縁部には、ガイドレールにより案内される案内部１０ｂが、両側水平方向に突起するように形成されている。また、トレイ１０の前面パネル１０ｅには、トレイ１０を開閉させるためのスイッチであるイジェクトボタン１４が設けられている。
【００２７】
このイジェクトボタン１４より制御部に接続される配線１５は、トレイ１０の側縁部下面に設けられた係止爪によりトレイ１０の後端に至るまで係止され、それ以降は図５に示すように湾曲した状態で本体キャビネット２内に収納されている。これによって、配線１５は、トレイ１０のスライド移動にともなって追随できるように構成されている。
【００２８】
トレイ１０の引き出しおよび格納は、トレイ１０の前面パネル１０ｅに設けられたイジェクトボタン１４を操作して行うことができ、具体的にはトレイ１０を格納した状態からイジェクトボタン１４を押すと、制御部によってトレイ用モータ６が回転駆動されてトレイ１０が引き出される。一方、トレイ１０を引き出した状態からイジェクトボタン１４を押すと、制御部によってトレイ用モータ６が逆方向に回転駆動されてトレイ１０が本体キャビネット２に格納される。
【００２９】
このようにトレイ１０の前面パネル１０ｅに、トレイ１０を開閉させるためのイジェクトボタン１４を設けているので、引き出されたトレイ１０を格納する際に、引き出されたトレイ１０に邪魔されながら本体キャビネット２の前面より操作を行わなくてもよい。また、引き出されたトレイ１０を直接押すことがないのでトレイ用モータ６にトルクがかからず、負担となることもない。
【００３０】
【発明の効果】
以上説明したように、本発明に係るディスク装置では、トレイを閉じるためのスイッチをトレイの前面よりキャップを押して動作させるように構成しているので、開いたトレイを閉じる際に、引き出されたトレイに邪魔されながら本体キャビネットの前面より操作を行わなくても、トレイの前面よりの操作でトレイを本体キャビネットに格納することができる。また、キャップが押された後に、トレイが本体キャビネットに格納されると、シャフトおよびキャップを元の位置に復帰させることができる。また、引き出されたトレイを直接押すことがないのでトレイ駆動手段にトルクがかからず、負担となることもない。
【００３１】
また、本発明に係るディスク装置が、ディスクを搭載するトレイがトレイ駆動手段によって駆動され、本体キャビネットに対してスライドして開閉するディスク装置において、本体キャビネットの正面には、トレイの下側に、トレイ駆動手段を駆動してトレイを少なくとも開かせるためのイジェクトボタンが設けられており、トレイが開いた状態で、トレイの前面より操作され、トレイ駆動手段を駆動してトレイを閉じるためのトレイ閉手段を備えている場合であって、このトレイ閉手段は、トレイのスライド方向が軸方向となり、この軸方向に移動可能にトレイに取り付けられたシャフトと、トレイが開いた状態で、シャフトがトレイの前面より押されることにより動作するとともに、この動作によりトレイ駆動手段を駆動し、トレイを閉じるための本体キャビネットに設けたスイッチとを備えて成り、スイッチの動作に応じたトレイ駆動手段の駆動によってトレイが本体キャビネットに格納されたときに、トレイの前面より押されたシャフトは、その後端部が本体キャビネットの奥内面に当接することにより、元の位置に押し戻されるようになっている場合、次のような効果を奏する。
【００３２】
開いたトレイを閉じる際に、トレイの前面よりシャフトを押して、軸方向後側に移動させることによって、トレイを閉じるためのスイッチを動作させることができる。これによって、引き出されたトレイに邪魔されながら本体キャビネットの前面より操作を行わなくても、トレイの前面よりの操作でトレイを本体キャビネットに格納することができる。また、シャフトが押された後に、トレイが本体キャビネットに格納されると、シャフトを元の位置に復帰させることができる。また、引き出されたトレイを直接押すことがないのでトレイ駆動手段にトルクがかからず、負担となることもない。
【図面の簡単な説明】
【図１】    本発明に係るディスク装置の一実施の形態の概略構成を示す斜視図である。
【図２】    上記ディスク装置のトレイのシャフト部分の断面図であり、(a) 通常時を示す断面図、(b) キャップ押下時を示す断面図である。
【図３】    上記ディスク装置のトレイを示す正面図である。
【図４】    上記ディスク装置のシャフト取り付け状態を示す断面図である。
【図５】    本発明に係るディスク装置の他の実施の形態の概略構成を示す斜視図である。
【図６】    従来のディスク装置の概略構成を示す斜視図である。
【符号の説明】
１        ディスク装置
２        本体キャビネット
３        開口部
４、１４  イジェクトボタン
５        リーフスイッチ
６        トレイ用モータ
７        ピニオン
１０      トレイ
１１      シャフト
１２      キャップ
１３      スプリング
１５      配線
【図１】
0003675784.tif 000002
【図２】
0003675784.tif 000003
【図３】
0003675784.tif 000004
【図４】
0003675784.tif 000005
【図５】
0003675784.tif 000006
【図６】
0003675784.tif 000007